(57)【要約】【課題】送達確認情報のＮＡＣＫがＡＣＫと誤って復号された場合にも、ユーザ装置と基地局装置との間で上りリンクの共有チャネルを用いた通信が正常に行われるようにすること。【解決手段】基地局装置は、移動通信システムにおいてユーザ装置と通信を行う。基地局装置は、ユーザ装置から受信した上り信号が再送されるべきか否かを示す送達確認情報を用意する手段と、ユーザ装置に上り信号の送信を許可する制御情報を用意する手段と、送達確認情報及び制御情報を前記ユーザ装置に通知する手段とを有する。送達確認情報が否定応答を示す場合に、制御情報は、ユーザ装置が過去に送信した上り信号を再送すべきことを示す再送情報を含む。【選択図】図１２
2010148149.tif 000002
【特許請求の範囲】
【請求項１】
移動通信システムにおいてユーザ装置と通信を行う基地局装置であって、
前記ユーザ装置から受信した上り信号が再送されるべきか否かの判定を行う判定手段と、
前記ユーザ装置に上り信号の送信を許可する制御情報を用意する手段と、
前記制御情報を前記ユーザ装置に通知する手段と、
を有し、上り信号が再送されるように判定がなされた場合に、前記制御情報は、前記ユーザ装置が過去に送信した上り信号を再送すべきことを示す再送情報を含む
ことを特徴とする基地局装置。
【発明の詳細な説明】
【技術分野】
【０００１】
本発明は移動通信システムで使用される基地局装置、ユーザ装置及び方法に関する。
【背景技術】
【０００２】
Ｗ−ＣＤＭＡやＨＳＤＰＡ、ＨＳＵＰＡの後継となる通信方式、すなわちロングタームエボリューション（ＬＴＥ：Ｌｏｎｇ  Ｔｅｒｍ  Ｅｖｏｌｕｔｉｏｎ）が、Ｗ−ＣＤＭＡの標準化団体３ＧＰＰにより検討され、無線アクセス方式として、下りリンクについてはＯＦＤＭ、上りリンクについてはＳＣ−ＦＤＭＡ（Ｓｉｎｇｌｅ−Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）が検討されている（例えば、非特許文献１参照）。
【０００３】
ＯＦＤＭは、周波数帯域を複数の狭い周波数帯域（サブキャリア）に分割し、各周波数帯上にデータを載せて伝送を行う方式であり、サブキャリアを周波数上に、一部重なりあいながらも互いに干渉することなく密に並べることで、高速伝送を実現し、周波数の利用効率を上げることができる。
【０００４】
ＳＣ−ＦＤＭＡは、周波数帯域を分割し、複数の端末間で異なる周波数帯域を用いて伝送することで、端末間の干渉を低減することができる伝送方式である。ＳＣ−ＦＤＭＡでは、送信電力の変動が小さくなる特徴を持つことから、端末の低消費電力化及び広いカバレッジを実現できる。
【０００５】
ＬＴＥは、上りリンク、下りリンクともに１つないし２つ以上の物理チャネルを複数のユーザ装置で共有して通信を行うシステムである。上記複数のユーザ装置で共有されるチャネルは、一般に共有チャネルと呼ばれ、ＬＴＥにおいては、上りリンクにおいては物理上りリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）であり、下りリンクにおいては物理下りリンク共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）である。また、上記共有チャネルは、論理チャネルとしては、上りリンクにおいてはＵＬ−ＳＣＨ：Ｕｐｌｉｎｋ Ｓｈａｒｅｄ Ｃｈａｎｎｅｌであり、下りリンクにおいては、ＤＬ−ＳＣＨ：Ｄｏｗｎｌｉｎｋ Ｓｈａｒｅｄ Ｃｈａｎｎｅｌである。
【０００６】
そして、上述したような共有チャネルを用いた通信システムにおいては、サブフレーム（Ｓｕｂ−ｆｒａｍｅ）（ＬＴＥでは１ｍｓ）毎に、どのユーザ装置に対して上記共有チャネルを割り当てるかをシグナリングする必要がある。このシグナリングに用いられる制御チャネルは、ＬＴＥでは、物理下りリンク制御チャネル（ＰＤＣＣＨ：Ｐｈｙｓｉｃａｌ  Ｄｏｎｗｌｉｎｋ  Ｃｏｎｔｒｏｌ  Ｃｈａｎｎｅｌ）または、下りＬ１／Ｌ２制御チャネル（ＤＬ−Ｌ１／Ｌ２  Ｃｏｎｔｒｏｌ  Ｃｈａｎｎｅｌ）と呼ばれる。上記物理下りリンク制御チャネルの情報には、例えば、下りスケジューリング情報又はダウンリンクスケジューリングインフォメーション（Ｄｏｗｎｌｉｎｋ  Ｓｃｈｅｄｕｌｉｎｇ  Ｉｎｆｏｒｍａｔｉｏｎ）、送達確認情報（ＡＣＫ／ＮＡＣＫ：Ａｃｋｎｏｗｌｅｄｇｅｍｅｎｔ  ｉｎｆｏｒｍａｔｉｏｎ）、上りリンクスケジューリンググラント（Ｕｐｌｉｎｋ  Ｓｃｈｅｄｕｌｉｎｇ  Ｇｒａｎｔ）、オーバロードインジケータ（Ｏｖｅｒｌｏａｄ  Ｉｎｄｉｃａｔｏｒ）、送信電力制御コマンドビット（Ｔｒａｎｓｍｉｓｓｉｏｎ  Ｐｏｗｅｒ  Ｃｏｎｔｒｏｌ  Ｃｏｍｍａｎｄ  Ｂｉｔ）等が含まれる（例えば、非特許文献２参照）。上記送達確認情報（ＡＣＫ/ＮＡＣＫ）は、Ｐｈｙｓｉｃａｌ  Ｈｙｂｒｉｄ ＡＲＱ  Ｉｎｄｉｃａｔｏｒ  Ｃｈａｎｎｅｌ (ＰＨＩＣＨ)とも呼ばれる。上記ＰＨＩＣＨは、上記ＰＤＣＣＨに含まれるのではなく、上記ＰＤＣＣＨとは並列の関係にある、異なる物理チャネルとして定義されてもよい。
【０００７】
また、上記Ｓｕｂ−ｆｒａｍｅは、一般には、ＴＴＩ (Ｔｒａｎｓｍｉｓｓｉｏｎ Ｔｉｍｅ Ｉｎｔｅｒｖａｌ)と呼ばれてもよい。
【０００８】
上記下りスケジューリング情報や上りリンクスケジューリンググラントが、どのユーザ装置に対して上記共有チャネルを割り当てるかをシグナリングするための情報に相当する。上記下りスケジューリング情報には、例えば、下りリンクの共有チャネルに関する、下りリンクのリソースブロック（Ｒｅｓｏｕｒｃｅ  Ｂｌｏｃｋ）の割り当て情報、ＵＥのＩＤ、ストリームの数、プリコーディングベクトル（Ｐｒｅｃｏｄｉｎｇ  Ｖｅｃｔｏｒ）に関する情報、データサイズ、変調方式、ＨＡＲＱ（ｈｙｂｒｉｄ  ａｕｔｏｍａｔｉｃ  ｒｅｐｅａｔ  ｒｅｑｕｅｓｔ）に関する情報等が含まれる。また、上記上りリンクスケジューリンググラントには、例えば、上りリンクの共有チャネルに関する、上りリンクのリソースの割り当て情報、ＵＥのＩＤ、データサイズ、変調方式、上りリンクの送信電力情報、アップリンクＭＩＭＯ（Ｕｐｌｉｎｋ  ＭＩＭＯ）におけるデモジュレーションレファレンスシグナル（Ｄｅｍｏｄｕｌａｔｉｏｎ  Ｒｅｆｅｒｅｎｃｅ  Ｓｉｇｎａｌ）の情報等が含まれる。
【０００９】
ところで、ＬＴＥの上りリンクにおいては、ＨＡＲＱの方式として、同期型のハイブリッド自動再送制御(Ｓｙｎｃｈｒｏｎｏｕｓ  ＨＡＲＱ)を適用することが提案されている(非特許文献３)。すなわち、上りリンクの共有チャネルの初回送信に関しては、上りリンクスケジューリンググラントが基地局装置からユーザ装置に対して送信されるが、再送に関して上りリンクスケジューリンググラントは送信されない。この場合、ユーザ装置は、予め決められたタイミングで上りリンクの共有チャネルの再送を行う。また、再送に関しても、必要に応じて、上りリンクスケジューリンググラントが送信されることも提案されている(非特許文献４)。この場合も、ユーザ装置は、予め決められたタイミングで上りリンクの共有チャネルの再送を行う。
【００１０】
また、ＬＴＥの上りリンクにおけるＨＡＲＱにおいては、上りリンクの共有チャネルのＡＣＫ／ＮＡＣＫである送達確認情報（Ａｃｋｎｏｗｌｅｄｇｅｍｅｎｔ  ｉｎｆｏｒｍａｔｉｏｎ）が基地局装置からユーザ装置に送信され、ユーザ装置は、前記送達確認情報に基づいて、上りリンクの共有チャネルの再送を行う。上記送達確認情報は、上記物理下りリンク制御チャネルにおける送達確認情報に相当する。
【先行技術文献】
【非特許文献】
【００１１】
【非特許文献１】3GPP TR 25.814 (V7.0.0), "Physical Layer Aspects for Evolved UTRA," June 2006
【非特許文献２】R1-070103, Downlink L1/L2 Control Signaling Channel Structure: Coding
【非特許文献３】TS 36.300, v 0.3.1 Evolved Universal Terrestrial Radio Access (E-UTRA) and Evolved Universal Terrestrial Radio Access Network (E-UTRAN); Overall description; Stage 2, 9.1, November 2006
【非特許文献４】R1-070060, Resource fragmentation in LTE uplink, January 2007
【発明の概要】
【発明が解決しようとする課題】
【００１２】
しかしながら、上述した背景技術には以下の問題がある。
ＬＴＥの上りリンクの共有チャネルの再送においては、物理下りリンク制御チャネルにより、送達確認情報（ＡＣＫ／ＮＡＣＫ）としてＮＡＣＫを送信することに加えて、再送に関して上りリンクスケジューリンググラントを送信することも提案されている。この上りリンクスケジューリンググラントは、再送パケットに使用されるリソースブロックや送信電力等を適切なものに設定するためになされる。但し、同期型ＨＡＲＱ方式が使用されることに変わりはなく、再送のタイミングは予め決められている。この場合において、ＮＡＣＫをＡＣＫと誤った場合（基地局はＮＡＣＫを送信したが、ユーザ装置がＡＣＫとして認識してしまった場合）、ユーザ装置は、上記再送のための上りリンクスケジューリンググラントを、新規送信（初回送信）のための上りリンクスケジューリンググラントと認識し、上りリンクの共有チャネルの送信を新規に行う。一方、基地局装置は、そのようにして新規に送信された上りリンクの共有チャネルを、再送の上りリンクの共有チャネルであると認識するため、新規に送信された上りリンクの共有チャネルを正常に受信することは困難になる。また、ＨＡＲＱでは、今回受信した信号と、ソフトバッファ（Ｓｏｆｔ  Ｂｕｆｆｅｒ）に保存されている以前に受信した信号とを合成することにより、特性の向上を図ろうとする。しかしながら、新規に送信された信号を再送された信号と間違えて認識すると、受信した新規の信号と、ソフトバッファ内の信号とが合成される。そうすると、信号を有意義に正しく復号することはほぼ不可能となり、ＨＡＲＱの最大再送回数が満了するまで信号は再送され続けることになる。この場合、上りリンクの通信の効率は劣化することになる。
【００１３】
本発明は、上述した問題点に鑑みてなされたものであり、その課題は、送達確認情報のＮＡＣＫがＡＣＫと誤って復号された場合にも、ユーザ装置と基地局装置との間で上りリンクの共有チャネルを用いた通信が正常に行われるようにすることである。すなわち、効率良く上りリンクの通信を行うことができる基地局装置、ユーザ装置、無線通信システム及び通信制御方法を提供することである。
【課題を解決するための手段】
【００１４】
開示される発明による基地局装置は、移動通信システムにおいてユーザ装置と通信を行う。基地局装置は、ユーザ装置から受信した上り信号が再送されるべきか否かを示す送達確認情報を用意する手段と、ユーザ装置に上り信号の送信を許可する制御情報を用意する手段と、送達確認情報及び制御情報を前記ユーザ装置に通知する手段とを有する。送達確認情報が否定応答を示す場合に、制御情報は、ユーザ装置が過去に送信した上り信号を再送すべきことを示す再送情報を含む。
【発明の効果】
【００１５】
開示される発明によれば、送達確認情報のＮＡＣＫがＡＣＫと誤って復号された場合にも、ユーザ装置と基地局装置との間で上りリンクの共有チャネルを用いた通信が正常に行われるようにすることができる。
【図面の簡単な説明】
【００１６】
【図１】無線通信システムの概要を示す図である。
【図２】上りスケジューリンググラントの構成例を示す図である。
【図３】データサイズビットとデータサイズとの対応関係例を示す図である。
【図４】送信電力ビットと送信電力との対応関係例を示す図である。
【図５】上りスケジューリンググラントの別の構成例を示す図である。
【図６】本発明の一実施例による基地局装置の部分ブロック図である。
【図７】基地局装置のベースバンド信号処理部を示す部分ブロック図である。
【図８】本発明の一実施例によるユーザ装置の部分ブロック図である。
【図９】ユーザ装置のベースバンド信号処理部を示す部分ブロック図である。
【図１０】ユーザ装置及び基地局装置間で通信が行われる様子を示す図である。
【図１１】基地局装置における動作例を示すフローチャートである。
【図１２】ユーザ装置における動作例を示すフローチャートである。
【発明を実施するための形態】
【００１７】
以下、本発明の実施例を、図面を参照しつつ説明する。実施例を説明するための全図において、同一機能を有するものは同一符号を用い、繰り返しの説明は省略する。
【００１８】
図１を参照しながら、本発明の実施例に係るユーザ装置及び基地局装置を有する無線通信システムについて説明する。
【００１９】
無線通信システム１０００は、例えばＥｖｏｌｖｅｄ  ＵＴＲＡ  ａｎｄ  ＵＴＲＡＮ（別名：Ｌｏｎｇ  Ｔｅｒｍ  Ｅｖｏｌｕｔｉｏｎ，或いは，Ｓｕｐｅｒ  ３Ｇ）が適用されるシステムである。無線通信システム１０００は、基地局装置（ｅＮＢ：  ｅＮｏｄｅ  Ｂ）２００と、基地局装置２００と通信する複数のユーザ装置１００ｎ（１００１、１００２、１００３、・・・１００ｎ、ｎはｎ＞０の整数）とを備える。基地局装置２００は、上位局、例えばアクセスゲートウェイ装置３００と接続され、アクセスゲートウェイ装置３００は、コアネットワーク４００と接続される。ユーザ装置１００ｎはセル５０において基地局装置２００とＥｖｏｌｖｅｄ  ＵＴＲＡ  ａｎｄ  ＵＴＲＡＮにより通信を行っている。
【００２０】
各ユーザ装置（１００１、１００２、１００３、・・・１００ｎ）は、同一の構成、機能、状態を有するので、以下では特段の断りがない限りユーザ装置１００ｎとして説明を進める。説明の便宜上、基地局装置と無線通信するのはユーザ装置であるが、より一般的には移動端末も固定端末も含むユーザ装置（ＵＥ：  Ｕｓｅｒ  Ｅｑｕｉｐｍｅｎｔ）でよい。
【００２１】
無線通信システム１０００では、無線アクセス方式として、下りリンクについてはＯＦＤＭ（直交周波数分割多元接続）が、上りリンクについてはＳＣ−ＦＤＭＡ（シングルキャリア−周波数分割多元接続）が適用される。上述したように、ＯＦＤＭは、周波数帯域を複数の狭い周波数帯域（サブキャリア）に分割し、各サブキャリアにデータをマッピングして通信を行うマルチキャリア伝送方式である。ＳＣ−ＦＤＭＡは、周波数帯域を端末毎に分割し、複数の端末が互いに異なる周波数帯域を用いることで、端末間の干渉を低減するシングルキャリア伝送方式である。
【００２２】
ここで、Ｅｖｏｌｖｅｄ  ＵＴＲＡ  ａｎｄ  ＵＴＲＡＮにおける通信チャネルについて説明する。
【００２３】
下りリンクについては、各ユーザ装置１００ｎで共有される物理下りリンク共有チャネル（ＰＤＳＣＨ）と、物理下りリンク制御チャネル(ＰＤＣＣＨ)とが用いられる。物理下りリンク制御チャネルは下りＬ１／Ｌ２制御チャネルとも呼ばれる。上記物理下りリンク共有チャネルにより、ユーザデータ、すなわち、通常のデータ信号が伝送される。また、物理下りリンク制御チャネルにより、ダウンリンクスケジューリングインフォメーション、送達確認情報（ＡＣＫ／ＮＡＣＫ）、アップリンクスケジューリンググラント、オーバロードインジケータ、送信電力制御コマンドビット等が伝送される。下りスケジューリング情報には、例えば、物理下りリンク共有チャネルを用いて通信を行うユーザのＩＤや、そのユーザデータのトランスポートフォーマットの情報、すなわち、データサイズ、変調方式、ＨＡＲＱに関する情報や、下りリンクのリソースブロックの割り当て情報等が含まれる。
【００２４】
上記送達確認情報（ＡＣＫ/ＮＡＣＫ）は、Ｐｈｙｓｉｃａｌ  Ｈｙｂｒｉｄ ＡＲＱ  Ｉｎｄｉｃａｔｏｒ  Ｃｈａｎｎｅｌ (ＰＨＩＣＨ)とも呼ばれる。上記ＰＨＩＣＨは、上記ＰＤＣＣＨに含まれるのではなく、上記ＰＤＣＣＨとは並列の関係にある、異なる物理チャネルとして定義されてもよい。
【００２５】
また、上りリンクスケジューリンググラントには、例えば、物理上りリンク共有チャネルを用いて通信を行うユーザのＩＤや、そのユーザデータのトランスポートフォーマットの情報、すなわち、データサイズ、変調方式に関する情報や、上りリンクのリソースブロックの割り当て情報、上りリンクの共有チャネルの送信電力に関する情報等が含まれる。ここで、上りリンクのリソースブロックとは、周波数リソースに相当し、リソースユニットとも呼ばれる。
【００２６】
上りリンクについては、各ユーザ装置１００ｎで共有して使用される物理上りリンク共有チャネル（ＰＵＳＣＨ）と、物理上りリンク制御チャネルとが用いられる。上記物理上りリンク共有チャネルにより、ユーザデータ、すなわち、通常のデータ信号が伝送される。また、物理上りリンク制御チャネルにより、下りリンクにおける共有物理チャネルのスケジューリング処理や適応変復調及び符号化処理（ＡＭＣＳ：  Ａｄａｐｔｉｖｅ  Ｍｏｄｕｌａｔｉｏｎ  ａｎｄ  Ｃｏｄｉｎｇ  Ｓｃｈｅｍｅ）に用いるための下りリンクの品質情報（ＣＱＩ：  Ｃｈａｎｎｅｌ  Ｑｕａｌｉｔｙ  Ｉｎｄｉｃａｔｏｒ）、及び、物理下りリンク共有チャネルの送達確認情報が伝送される。送達確認情報の内容は、送信信号が適切に受信されたことを示す肯定応答(ＡＣＫ：  Ａｃｋｎｏｗｌｅｄｇｅｍｅｎｔ)又はそれが適切に受信されなかったことを示す否定応答(ＮＡＣＫ：  Ｎｅｇａｔｉｖｅ  Ａｃｋｎｏｗｌｅｄｇｅｍｅｎｔ)の何れかで表現される。
【００２７】
物理上りリンク制御チャネルでは、ＣＱＩや送達確認情報に加えて、上りリンクの共有チャネルのリソース割り当てを要求するスケジューリング要求（Ｓｃｈｅｄｕｌｉｎｇ  Ｒｅｑｕｅｓｔ）や、パーシステントスケジューリング（Ｐｅｒｓｉｓｔｅｎｔ  Ｓｃｈｅｄｕｌｉｎｇ）におけるリリース要求（Ｒｅｌｅａｓｅ  Ｒｅｑｕｅｓｔ）等が送信されてもよい。ここで、上りリンクの共有チャネルのリソース割り当てとは、あるサブフレームの物理下りリンク制御チャネルを用いて、後続のサブフレームにおいて上りリンクの共有チャネルを用いて通信を行ってよいことを基地局装置がユーザ装置に通知することを意味する。
【００２８】
図２を参照しながら、本発明に係る物理下りリンク制御チャネルにおける上りリンクスケジューリンググラントの情報ビットの構成を説明する。図２に示すように、上りリンクスケジューリンググラントは、例えば、データサイズを示すビット、変調方式を示すビット、周波数リソース、すなわち、リソースブロックの割り当て情報を示すビット、送信電力に関する情報を示すビット、上りリンクの共有チャネルを用いて通信を行うユーザ装置のＩＤを示すビットによりマスキングされたＣＲＣビット等から構成される。
【００２９】
以下に、上記上りスケジューリンググラントにおける各情報ビットの詳細の一例を説明する。
【００３０】
＜データサイズを示すビット＞
図３に示されるように、データサイズを示すビットとデータサイズとが関連付けられてもよい。図示のテーブルは、例えば、変調方式毎に、及び、リソースブロックの数毎に定義されてもよい。図示されるように、６ビットにより表現される６４通りの値の内、６４番目の値（１１１１１１）が当該上りリンクスケジューリンググラントに含まれていた場合、それは次回再送が行われるべきことを示す。言い換えれば、上記６４番目の値（１１１１１１）は、データサイズを表すのではなく、次回許可される上り送信は、以前に送信した上り共有チャネルの再送であることを示す。
【００３１】
上りリンクスケジューリンググラントにより上りリンクの共有チャネルの再送が指示される場合には、データサイズを示すビットとして、常に（１１１１１１）が設定される。この点、ユーザ装置が再送を行うべき場合に、上りスケジューリンググラント中のデータサイズがそのような特定の値に設定されていなかった従来の手法と大きく異なる。尚、再送の場合のデータサイズは、初回送信の場合のデータサイズと同一であるため、データサイズを示すビットとして、常に（１１１１１１）が設定されたとしても、ユーザ装置１００ｎは、当該上りリンクの共有チャネルのデータサイズを容易に知ることができる。すなわち、ユーザ装置１００ｎは、再送された上りリンクの共有チャネルのデータサイズは、以前に初回の送信として送信された上りリンクの共有チャネルのデータサイズと同一であるとして、当該上りリンクの共有チャネルの送信を行うことができる。
【００３２】
このように、データサイズを示すビットにより表現される値の一部を、次回許可される上り送信が再送であることを示すように定義することで、ユーザ装置１００ｎは、受信した上りリンクスケジューリンググラントが、再送用なのか、初回送信（新規送信）用なのかを容易に知ることができる。尚、データサイズを示すビットは、例えばトランスポートフォーマットリソースインジケータ（ＴＦＲＩ：  Ｔｒａｎｓｐｏｒｔ  Ｆｏｒｍａｔ  Ｒｅｓｏｕｒｃｅ  Ｉｎｄｉｃａｔｏｒ）と呼ばれてもよい。
【００３３】
また、データサイズを示すビットとして、６ビットを仮定したが、上記データサイズを示すビットは、より多くのビット数でもよいし、より少ないビット数でもよい（例えば、４ビットや５ビットであってもよい）。また、当該上りリンクスケジューリンググラントが、「以前に送信した該上りリンクの共有チャネルを再送すべきであること」を示す値として、（１１１１１１）が使用されたが、その他の値、例えば、（１１１１１０）や（１１１１０１）等が使用されてもよい。ユーザ装置及び基地局装置間で、事前に設定された適切な如何なる値が使用されてもよい。下り制御信号の中で特定の値を含む「上りリンクスケジューリンググラント」が、送達確認情報（ＡＣＫ／ＮＡＣＫ）とは別に、再送の要否に関連付けられていればよい。ただし、そのビット数で表現される数値とデータサイズとの線形性をなるべく維持する観点からは、データサイズを表現する数値範囲の境界値を使用することが好ましい。即ち、将来的に、より大きなデータサイズを表現する領域を確保するといった拡張性を考慮し、「以前に送信した該上りリンクの共有チャネルを再送すべきであること」を示す値として、そのビット数で表現される数値の内、最後の値とすることが好ましい。
【００３４】
＜変調方式を示すビット＞
変調方式を示すビットと、変調方式との関係は、例えば、以下のように定義される：
（００）：ＱＰＳＫ
（０１）：１６ＱＡＭ
（１０）：６４ＱＡＭ
（１１）：無効（Ｎｏｔ  Ａｐｐｌｉｃａｂｌｅ）
＜リソースブロックの割り当て情報を示すビット＞
リソースブロックの割り当て情報を示すビットと、リソースブロックの割り当て情報との関係は、例えば、上り共有データ信号に割り当てられる可能性のあるリソースブロックの両端（帯域中の高低両端のリソース）のリソースブロック番号を、上記リソースブロックの割り当て情報を示すビットに関連付けることで定義される。リソースブロックの割り当て情報を示すビットと、割り当てられるリソースブロックの両端のリソースブロックとの対応関係は、例えば、次の文献に記載されている：
３ＧＰＰ，Ｒ１−０６１３０８。
【００３５】
＜送信電力に関する情報を示すビット＞
送信電力に関する情報を示すビットと、送信電力に関する情報との関係は、例えば、図４に示すようなテーブルにより定義される。ここで、送信電力に関する情報とは、例えば、サウンディング用のリファレンス信号に対するオフセット値であってもよい。すなわち、上りリンクの共有チャネルの送信電力と、サウンディング用のリファレンス信号の送信電力との差であってもよい。或いは送信電力は絶対値で表現されてもよい。
【００３６】
あるいは、送信電力に関する情報を示すビットは、前回の送信における送信電力に対する相対値であってもよいし、あるいは、以下の式におけるΔであってもよい：
PPUSCH(i)=min{Pmax，10log10(MPUSCH(i))+PO_PUSCH+αPL+ΔMCS(MCS(i))+f(i)}
ここで、i：Sub-frameを表すIndex
ＰＰＵＳＣＨ（i）：Ｓｕｂ−ｆｒａｍｅ＃ｉにおけるＰＵＳＣＨの送信電力
ＰＭＡＸ：ＵＥの最大送信電力
ＭＰＵＳＣＨ：ＲＢ数
ＰＯ_ＰＵＳＣＨ：ＮＷより指定されるパラメータ
α：ＮＷより指定されるパラメータ
ＰＬ：Ｐａｔｈｌｏｓｓ
ΔＭＣＳ：ＭＣＳ毎に設定されるオフセット値
ｆ（ｉ）：調節用のオフセット値。ｆ（i） = f(i-1) + Δ
＜上りリンクの共有チャネルを用いて通信を行うユーザ装置のＩＤを示すビットによりマスキングされたＣＲＣビット＞
上りリンクの共有チャネルを用いて通信を行うユーザ装置のＩＤを示すビットによりマスキングされたＣＲＣビットは、例えば、データサイズを示すビットと、変調方式を示すビットと、リソースブロックの割り当て情報を示すビットと、送信電力に関する情報を示すビットとに基づいて計算される１６ビットのＣＲＣビットに、ユーザ装置のＩＤを示す１６ビットのビットをマスキングすることで作成される。
【００３７】
尚、図２に示す情報ビットや、そのビット数は、あくまで一例である。よって、図２に示す情報ビット以外の情報ビットが、上りリンクスケジューリンググラントとして送信されてもよいし、図２に示す情報ビットの内の一部の情報ビットが、上りリンクスケジューリンググラントとして送信されてもよい。また、ビット数に関しても、図２に示すビット数以外のビット数が用いられてもよい。
【００３８】
また、図３および図４に示す、データサイズを示すビットとデータサイズの関係や、送信電力に関する情報を示すビットと送信電力に関する情報との関係は、あくまで一例である。
【００３９】
上述した例においては、データサイズを示すビットにより表現される６４通りの値の内の１つの値が、再送用の上りリンクスケジューリンググラントであることを示すように定義され、以前に送信した該上りリンクの共有チャネルを再送することが指示されたが、代わりに、他の情報ビットの一部が、再送用の上りリンクスケジューリンググラントであることを示すように定義されてもよい。例えば、上述した変調方式を示すビットの内の（１１）が、再送用の上りリンクスケジューリンググラントであることを示すように定義されてもよい。
【００４０】
あるいは、上述した例においては、データサイズを示すビットにより表現される６４通りの値の内の１つの値が、再送用の上りリンクスケジューリンググラントであることを示すように定義され、以前に送信した該上りリンクの共有チャネルを再送することが指示された。しかしながら、そのような指示内容を表現するために、データサイズ用のビットとは別のビットが用意されてもよい。図５に示されるように、データサイズ用のビットとは別に１ビッット余分に用意され、そのビットの値によって、上りリンクスケジューリンググラントが以前に送信した該上りリンクの共有チャネルを再送するためのものであるか否かが表現されてもよい。例えば、当該上りリンクスケジューリンググラントは、「以前に送信した上りリンクの共有チャネルを再送することを指示する上りリンクスケジューリンググラントである」、ということを示すビットは、以下のように定義されてもよい：
（ビットの値が０の場合）：当該上りリンクスケジューリンググラントは、初回送信（新規送信）の上りリンクの共有チャネルを送信することを指示する上りリンクスケジューリンググラントである。
【００４１】
（ビットの値が１の場合）：当該上りリンクスケジューリンググラントは、以前に送信した該上りリンクの共有チャネルを再送することを指示する上りリンクスケジューリンググラントである。
【００４２】
あるいは、前記ビットの値は、以下のように定義されてもよい：
（ビットの値が、当該プロセスにおける前回の送信に比べてインクリメントされた場合）：当該上りリンクスケジューリンググラントは、初回送信（新規送信）の上りリンクの共有チャネルを送信することを指示する上りリンクスケジューリンググラントである。
【００４３】
（ビットの値が、当該プロセスにおける前回の送信に比べてインクリメントされなかった場合）：当該上りリンクスケジューリンググラントは、以前に送信した該上りリンクの共有チャネルを再送することを指示する上りリンクスケジューリンググラントである。
【００４４】
尚、ビットの値がインクリメントされるとは、０から１に変わる、あるいは１から０に変わることを意味する。
【００４５】
図６を参照しながら、本発明の実施例に係る基地局装置２００について説明する。
【００４６】
本実施例に係る基地局装置２００は、送受信アンテナ２０２と、アンプ部２０４と、送受信部２０６と、ベースバンド信号処理部２０８と、呼処理部２１０と、伝送路インターフェース２１２とを備える。
【００４７】
下りリンクにより基地局装置２００からユーザ装置１００ｎに送信されるユーザデータは、基地局装置２００の上位に位置する上位局、例えばアクセスゲートウェイ装置３００から伝送路インターフェース２１２を介してベースバンド信号処理部２０８に入力される。
【００４８】
ベースバンド信号処理部２０８では、ユーザデータの分割・結合、ＲＬＣ（ｒａｄｉｏ  ｌｉｎｋ  ｃｏｎｔｒｏｌ）再送制御の送信処理などのＲＬＣレイヤーの送信処理、ＭＡＣ（Ｍｅｄｉｕｍ  Ａｃｃｅｓｓ  Ｃｏｎｔｒｏｌ）再送制御、例えばＨＡＲＱ（Ｈｙｂｒｉｄ  Ａｕｔｏｍａｔｉｃ  Ｒｅｐｅａｔ  ｒｅＱｕｅｓｔ）の送信処理、スケジューリング、伝送フォーマット選択、チャネル符号化、逆高速フーリエ変換（ＩＦＦＴ：  Ｉｎｖｅｒｓｅ  Ｆａｓｔ  Ｆｏｕｒｉｅｒ  Ｔｒａｎｓｆｏｒｍ）処理が行われて、送受信部２０６に転送される。また、下りリンク制御チャネルである物理下りリンク制御チャネルの信号に関しても、チャネル符号化や逆高速フーリエ変換等の送信処理が行われて、送受信部２０６に転送される。
【００４９】
送受信部２０６では、ベースバンド信号処理部２０８から出力されたベースバンド信号を無線周波数帯に変換する周波数変換処理が施され、その後、アンプ部２０４で増幅されて送受信アンテナ２０２より送信される。
【００５０】
一方、上りリンクによりユーザ装置１００ｎから基地局装置２００に送信されるデータについては、送受信アンテナ２０２で受信された無線周波数信号がアンプ部２０４で増幅され、送受信部２０６で周波数変換されてベースバンド信号に変換され、ベースバンド信号処理部２０８に入力される。
【００５１】
ベースバンド信号処理部２０８では、入力されたベースバンド信号に含まれるユーザデータに対して、ＦＦＴ処理、IDFT処理、誤り訂正復号、ＭＡＣ再送制御の受信処理、ＲＬＣレイヤーの受信処理がなされ、伝送路インターフェース２１２を介してアクセスゲートウェイ装置３００に転送される。
【００５２】
また、ベースバンド信号処理部２０８は、後述するように、上りリンクにおいて、共有チャネルの再送を指示する上りリンクスケジューリンググラントを送信する場合に、データサイズを示すビットの値を、当該上りリンクスケジューリンググラントは以前に送信した該上りリンクの共有チャネルを再送することを指示する上りリンクスケジューリンググラントである、ということを示す値に設定する。
【００５３】
呼処理部２１０は、通信チャネルの設定や解放等の呼処理や、無線基地局２００の状態管理や、無線リソースの管理を行う。
【００５４】
図７を参照しながら、ベースバンド信号処理部２０８の構成について説明する。
【００５５】
ベースバンド信号処理部２０８は、レイヤー１処理部２０８１と、ＭＡＣ処理部２０８２と、ＲＬＣ処理部２０８３とを備える。
【００５６】
ベースバンド信号処理部２０８におけるレイヤー１処理部２０８１とＭＡＣ処理部２０８２と呼処理部２１０とは、互いに接続されている。
【００５７】
レイヤー１処理部２０８１では、下りリンクで送信されるデータのチャネル符号化やＩＦＦＴ処理、上りリンクで送信されるデータのチャネル復号化やＩＤＦＴ処理、ＦＦＴ処理などが行われる。
【００５８】
レイヤー処理部２０８１は、物理下りリンク共有チャネルを用いて通信を行うユーザのＩＤや、そのユーザデータのトランスポートフォーマットの情報、すなわち、下りスケジューリング情報、及び、物理上りリンク共有チャネルを用いて通信を行うユーザのＩＤや、そのユーザデータのトランスポートフォーマットの情報、すなわち、上りリンクスケジューリンググラント、上りリンクの共有チャネルに対する送達確認情報をＭＡＣ処理部２０８２から受け取る。また、レイヤー処理部２０８１は、上記物理下りリンク共有チャネルを用いて通信を行うユーザのＩＤや、そのユーザデータのトランスポートフォーマットの情報、すなわち、下りスケジューリング情報、及び、物理上りリンク共有チャネルを用いて通信を行うユーザのＩＤや、そのユーザデータのトランスポートフォーマットの情報、すなわち、上りリンクスケジューリンググラント、上りリンクの共有チャネルに対する送達確認情報に対して、チャネル符号化やＩＦＦＴ処理等の送信処理を行う。上記物理下りリンク共有チャネルを用いて通信を行うユーザのＩＤや、そのユーザデータのトランスポートフォーマットの情報、すなわち、下りスケジューリング情報、及び、物理上りリンク共有チャネルを用いて通信を行うユーザのＩＤや、そのユーザデータのトランスポートフォーマットの情報、すなわち、上りリンクスケジューリンググラント、上りリンクの共有チャネルに対する送達確認情報は、下りリンク制御チャネルである物理下りリンク制御チャネルにマッピングされる。
【００５９】
また、レイヤー１処理部２０８１は、上りリンクで送信される物理上りリンク制御チャネルにマッピングされるＣＱＩや送達確認情報の復調及び復号も行い、上記復号結果を、ＭＡＣ処理部２０８２に通知する。
【００６０】
ＭＡＣ処理部２０８２は、下りリンクのユーザデータのＭＡＣ再送制御、例えばＨＡＲＱの送信処理や、スケジューリング処理、伝送フォーマットの選択処理、周波数リソースの割り当て処理等を行う。ここで、スケジューリング処理とは、当該サブフレームの下りリンクにおいて共有チャネルを用いてユーザデータの受信を行うユーザ装置を選別する処理のことを指す。また、伝送フォーマットの選択処理とは、スケジューリングにおいて選別されたユーザ装置が受信するユーザデータに関する変調方式や符号化率、データサイズを決定する処理のことを指す。上記変調方式、符号化率、データサイズの決定は、例えば、ユーザ装置から上りリンクにおいて報告されるＣＱＩの良否に基づいて行われる。さらに、上記周波数リソースの割り当て処理とは、スケジューリングにおいて選別されたユーザ装置が受信するユーザデータに用いられるリソースブロックを決定する処理のことを指す。上記リソースブロックの決定は、例えば、ユーザ装置から上りリンクにおいて報告されるＣＱＩに基づいて行われる。上記ユーザ装置から報告されるＣＱＩは、レイヤー1処理部２０８１より通知される。そして、ＭＡＣ処理部２０８２は、上述したスケジューリング処理、伝送フォーマットの選択処理、周波数リソースの割り当て処理により決定される、物理下りリンク共有チャネルを用いて通信を行うユーザのＩＤや、そのユーザデータのトランスポートフォーマットの情報、すなわち、下りスケジューリング情報をレイヤー１処理部２０８１に通知する。
【００６１】
また、ＭＡＣ処理部２０８２は、上りリンクのユーザデータのＭＡＣ再送制御の受信処理や、スケジューリング処理、伝送フォーマットの選択処理、周波数リソースの割り当て処理等を行う。ここで、スケジューリング処理とは、所定のサブフレームにおいて共有チャネルを用いてユーザデータの送信を行うユーザ装置を選別する処理のことを指す。また、伝送フォーマットの選択処理とは、スケジューリングにおいて選別されたユーザ装置が送信するユーザデータに関する変調方式や符号化率、データサイズを決定する処理のことを指す。上記変調方式、符号化率、データサイズの決定は、例えば、ユーザ装置から上りリンクにおいて送信するサウンディング用リファレンス信号のＳＩＲやパスロスに基づいて行われる。さらに、上記周波数リソースの割り当て処理とは、スケジューリングにおいて選別されたユーザ装置が送信するユーザデータの送信に用いられるリソースブロックを決定する処理のことを指す。上記リソースブロックの決定は、例えば、ユーザ装置から上りリンクにおいて送信するサウンディング用リファレンス信号のＳＩＲに基づいて行われる。そして、ＭＡＣ処理部２０８２は、上述したスケジューリング処理、伝送フォーマットの選択処理、周波数リソースの割り当て処理により決定される、物理上りリンク共有チャネルを用いて通信を行うユーザのＩＤや、そのユーザデータのトランスポートフォーマットの情報、すなわち、上りリンクスケジューリンググラントを生成し、レイヤー１処理部２０８１に通知する。また、ＭＡＣ処理部２０８２は、上りリンクの共有チャネルの受信結果に基づき、送達確認情報を生成し、その上りリンクの共有チャネルに対する送達確認情報をレイヤー１処理部２０８１に通知する。
【００６２】
ここで、ＭＡＣ処理部２０８２は、上述した上りリンクスケジューリンググラントを生成する際に、当該上りリンクの共有チャネルが再送される場合には、データサイズを示すビットの値を、当該上りリンクスケジューリンググラントは以前に送信した該上りリンクの共有チャネルを再送することを指示する上りリンクスケジューリンググラントである、ということを示す値（例えば、１１１１１１）に常に設定する。データサイズを示すビットの値の設定方法は、図２、３、４を参照しながら説明したものと同様である。
【００６３】
あるいは、図５で説明されたように、データサイズ用のビットとは別に、上りスケジューリンググラントが再送に関するものであるか否かを示すためのビットが用意されていた場合、ＭＡＣ処理部２０８２はそのビットの値を上りリンクスケジューリンググラントの内容に応じて設定する。例えば、当該上りリンクの共有チャネルが再送される場合には、ビットの値は１に設定され、そうでなければ０に設定される。
【００６４】
ＲＬＣ処理部２０８３では、下りリンクのパケットデータに関する、分割・結合、ＲＬＣ再送制御の送信処理等のＲＬＣレイヤーの送信処理や、上りリンクのデータに関する、分割・結合、ＲＬＣ再送制御の受信処理等のＲＬＣレイヤーの受信処理が行われる。尚、ＲＬＣ処理部２０８３は、上記処理に加えて、ＰＤＣＰレイヤにおける送受信処理を行ってもよい。
【００６５】
図８を参照しながら、本発明の実施例に係るユーザ装置１００ｎについて説明する。
【００６６】
同図において、ユーザ装置１００ｎは、送受信アンテナ１０２と、アンプ部１０４と、送受信部１０６と、ベースバンド信号処理部１０８と、アプリケーション部１１０とを具備する。
【００６７】
下りリンクのユーザデータについては、送受信アンテナ１０２で受信された無線周波数信号がアンプ部１０４で増幅され、送受信部１０６で周波数変換されてベースバンド信号に変換される。このベースバンド信号は、ベースバンド信号処理部１０８でＦＦＴ処理や、誤り訂正復号、再送制御の受信処理、ＲＬＣレイヤーの受信処理等がなされる。上記下りリンクのデータの内、下りリンクのユーザデータは、アプリケーション部１１０に転送される。アプリケーション部１１０は、物理レイヤーやＭＡＣレイヤー、ＲＬＣレイヤーより上位のレイヤーに関する処理等を行う。
【００６８】
一方、上りリンクのユーザデータについては、アプリケーション部１１０からベースバンド信号処理部１０８に入力される。ベースバンド信号処理部１０８では、ユーザデータの分割・結合、ＲＬＣ再送制御の送信処理などのＲＬＣレイヤーの送信処理や、再送制御（Ｈ−ＡＲＱ  （Ｈｙｂｒｉｄ  ＡＲＱ））の送信処理等のＭＡＣレイヤーの送信処理、チャネル符号化、ＤＦＴ処理、ＩＦＦＴ処理等が行われて送受信部１０６に転送される。送受信部１０６では、ベースバンド信号処理部１０８から出力されたベースバンド信号を無線周波数帯に変換する周波数変換処理が施され、その後、アンプ部１０４で増幅されて送受信アンテナ１０２より送信される。
【００６９】
尚、上述したユーザデータとは、例えば、ウェブブラウジング（Ｗｅｂ  ｂｒｏｗｓｉｎｇ）やファイル転送プロトコル（ＦＴＰ）、音声パケット（ＶｏＩＰ）等によるＩＰパケットや、無線リソース制御（ＲＲＣ：Ｒａｄｉｏ  Ｒｅｓｏｕｒｃｅ  Ｃｏｎｔｒｏｌ）の処理のための制御信号などである。また、上記ユーザデータは、論理チャネルとしての呼び方は、例えば、ＤＴＣＨやＤＣＣＨである。
【００７０】
図９を参照しながら、ベースバンド信号処理部１０８の構成について説明する。
【００７１】
ベースバンド信号処理部１０８は、レイヤー１処理部１０８１と、ＭＡＣ処理部１０８２と、ＲＬＣ処理部１０８３を備える。
【００７２】
レイヤー１処理部１０８１では、下りリンクで受信される信号のチャネル復号化やＦＦＴ処理などが行われる。
【００７３】
また、レイヤー１処理部１０８１は、下りリンクの受信信号に含まれる、物理下りリンク制御チャネルの復調・復号を行い、その復号結果をＭＡＣ処理部１０８２に送信する。すなわち、レイヤー１処理部１０８１は、上記物理下りリンク制御チャネルに含まれる下りスケジューリング情報や上りリンクスケジューリンググラント、上りリンクの共有チャネルに対する送達確認情報の復調・復号を行い、その復号結果をＭＡＣ処理部１０８２に送信する。
【００７４】
さらに、レイヤー１処理部１０８１は、当該サブフレームの上りリンクにおいてユーザデータを送信する場合には、ＭＡＣ処理部１０８２からユーザデータを受け取る。レイヤー１処理部１０８１は、上記ユーザデータに関して、符号化やデータ変調等の処理やＤＦＴ処理、サブキャリアマッピング処理、ＩＦＦＴ処理等を行い、それらをベースバンド信号として送受信部に送信する。
【００７５】
ＭＡＣ処理部１０８２は、レイヤー１処理部１０８１より復号された下りスケジューリング情報（Ｄｏｎｗｌｉｎｋ  Ｓｃｈｅｄｕｌｉｎｇ  Ｉｎｆｏｒｍａｔｉｏｎ）や上りリンクスケジューリンググラント、上りリンクの共有チャネルに対する送達確認情報を受信する。本発明に係るユーザ装置は、主に上りリンクの共有チャネルの送信に係るため、以下では、主に、上りリンクの共有チャネルの送信に関して説明を行う。
【００７６】
ＭＡＣ処理部１０８２は、上記上りリンクスケジューリンググラントに基づき、上りリンクのユーザデータの送信フォーマットの決定や、ＭＡＣレイヤーにおける再送制御（ＨＡＲＱ）等の送信処理を行う。すなわち、レイヤー１処理部１０８１より受信した上りリンクスケジューリンググラントにより、基地局装置２００から、上りリンクにおいて共有チャネルを用いた通信を行うことを指示された場合には、ユーザ装置１００ｎ内のデータバッファに存在するユーザデータに関して、送信フォーマットの決定や再送制御（ＨＡＲＱ）等の送信処理を行い、そのユーザデータをレイヤー１処理部１０８１に与える。
【００７７】
ここで、ＭＡＣ処理部１０８２は、上記上りリンクスケジューリンググラントが、以前に送信した該上りリンクの共有チャネルを再送することを指示する上りリンクスケジューリンググラントでない場合には、新規の、すなわち、再送ではない上りリンクの共有チャネルを送信するための送信処理を行う。尚、ＭＡＣ処理部１０８２は、上記処理を、上りリンクの共有チャネルに対する送達確認情報に関係なく行ってもよい。すなわち、上記送達確認情報がＮＡＣＫであったとしても、上記上りリンクスケジューリンググラントが、以前に送信した該上りリンクの共有チャネルを再送することを指示する上りリンクスケジューリンググラントでない場合には、新規の上りリンクの共有チャネルを送信するための送信処理を行ってもよい。
【００７８】
一方、ＭＡＣ処理部１０８２は、上記上りリンクスケジューリンググラントが、前に送信した該上りリンクの共有チャネルを再送することを指示する上りリンクスケジューリンググラントである場合には、以前に送信した該上りリンクの共有チャネルを再送するための送信処理を行う。ここで、ＭＡＣ処理部１０８２は、上記再送することを指示する上りリンクスケジューリングにより指定される再送のタイミングが、Ｓｙｎｃｈｒｏｎｏｕｓ  ＨＡＲＱにおける再送のタイミングと異なる場合には、すなわち、再送することが指示されているにも係らず、再送すべきデータ（上りリンクの共有チャネル）が存在しない場合には、上記上りリンクスケジューリンググラントを無視してもよい。この場合、上記再送することを指示する上りリンクスケジューリングにより指定される再送のタイミングにおいて、移動局１００ｎは、上りリンクの共有チャネルを送信しない。尚、ＭＡＣ処理部１０８２は、上記処理を、上りリンクの共有チャネルに対する送達確認情報に関係なく行ってもよい。すなわち、上記送達確認情報がＡＣＫであったとしても、上記上りリンクスケジューリンググラントが、以前に送信した該上りリンクの共有チャネルを再送することを指示する上りリンクスケジューリンググラントである場合には、以前に送信した該上りリンクの共有チャネルを再送するための送信処理を行ってもよい。
【００７９】
尚、上述した例において、上記上りリンクスケジューリンググラントが、以前に送信した該上りリンクの共有チャネルを再送することを指示する上りリンクスケジューリンググラントであるか否かは、データサイズを示すビットの値が、当該上りリンクスケジューリンググラントは以前に送信した該上りリンクの共有チャネルを再送することを指示する上りリンクスケジューリンググラントである、ということを示す値（例えば、１１１１１１）であるか否かにより決定される。データサイズを示すビットの値の設定方法は、図２、３、４を参照しながら説明したものと同様である。
【００８０】
あるいは、図５で説明されたように、データサイズ用のビットとは別に、上りスケジューリンググラントが再送に関するものであるか否かを示すためのビットが用意されていてもよい。この場合、上記ビットにより、上記上りリンクスケジューリンググラントが、以前に送信した該上りリンクの共有チャネルを再送することを指示する上りリンクスケジューリンググラントであるか否かが判定される。
【００８１】
ＭＡＣ処理部１０８２は、下りリンクに関しては、例えば、レイヤー１処理部１０８１より受信した下りスケジューリング情報に基づき、下りリンクのユーザデータのＭＡＣ再送制御の受信処理等を行う。
【００８２】
ＲＬＣ（Ｒａｄｉｏ  Ｌｉｎｋ  Ｃｏｎｔｒｏｌ）処理部は、上りリンクに関しては、ユーザデータの分割・結合、ＲＬＣ（ｒａｄｉｏ  ｌｉｎｋ  ｃｏｎｔｒｏｌ）再送制御の送信処理などのＲＬＣレイヤーの送信処理を行い、下りリンクに関しては、ユーザデータの分割・結合、ＲＬＣ再送制御の受信処理等のＲＬＣレイヤーの受信処理を行う。
【００８３】
図１０は、上述したユーザ装置１００ｎと基地局装置２００の処理を時間の観点から説明するための図である。例えば、＃iのサブフレームにおいて、基地局装置２００は、サブフレーム＃i＋３において新規に送信されるＰＵＳＣＨ（トランスポートチャネルとしてはＵＬ−ＳＣＨ）を用いて通信を行うユーザのＩＤや、そのユーザデータのトランスポートフォーマットの情報、すなわち、上りリンクスケジューリンググラントを、物理下りリンク制御チャネルを用いてユーザ装置１００ｎに通知する(１２０２)。＃iのサブフレームにおいて、ユーザ装置１００ｎは、上記物理下りリンク制御チャネルを受信する(１２０２)。そして、ユーザ装置１００ｎは、上記物理下りリンク制御チャネルに含まれる、サブフレーム＃i＋３のＰＵＳＣＨ（トランスポートチャネルとしてはＵＬ−ＳＣＨ）を用いて通信を行うユーザのＩＤが、自局のＩＤである場合には、上記物理下りリンク制御チャネルに含まれるトランスポートフォーマットの情報に基づき、ＰＵＳＣＨを送信する（１２０４）。基地局装置２００は、タイミング１２０４において（サブフレーム＃i＋３において）ＰＵＳＣＨを用いた通信を行うことを通知したユーザ装置からのＰＵＳＣＨの受信処理を行う（１２０４）。
【００８４】
次に、基地局装置２００は、サブフレーム＃ｉ＋３において、上記ＰＵＳＣＨを正しく受信することができなかったとする。すなわち、ＰＵＳＣＨ（トランスポートチャネルとしてはＵＬ−ＳＣＨ）の復号結果がＮＧであったとする。この場合に、サブフレーム＃ｉ＋６において、上りスケジューリンググラントを含む物理下りリンク制御チャネルがユーザ装置１００ｎに通知される(１２０６)。この上りスケジューリンググラントは、サブフレーム＃i＋９においてＰＵＳＣＨ（トランスポートチャネルとしてはＵＬ−ＳＣＨ）を用いて再送を行うユーザのＩＤや、そのユーザデータのトランスポートフォーマットの情報を含む。上述したように、この上りリンクスケジューリンググラントのデータサイズを示すビットの値は、再送時には（１１１１１１）のような特定の値に常に設定されており、これはデータサイズの値ではなく、次回許可される送信が新規パケットの送信でなく再送パケットであることを示す。データサイズを示すビットの値の設定方法は、図２、３、４を参照しながら説明したものと同様である。
【００８５】
あるいは、図５で説明されたように、データサイズ用のビットとは別に、上りスケジューリンググラントが再送に関するものであるか否かを示すためのビットが用意されていた場合、サブフレーム＃i＋９における上りスケジューリンググラントにおけるそのビットの値は、上りリンクの共有チャネルが再送されることを示す「１」に設定される。
【００８６】
サブフレーム＃ｉ＋６においては、上記上りリンクスケジューリンググラントに加えて、上りリンクの共有チャネルの送達確認情報（ＡＣＫ／ＮＡＣＫ）としてＮＡＣＫが送信されてもよい。＃i＋６のサブフレームにおいて、ユーザ装置１００ｎは、上記物理下りリンク制御チャネルを受信する(１２０６)。すなわち、ユーザ装置１００ｎは、上記物理下りリンク制御チャネルに含まれる上りリンクスケジューリンググラントを受信し、その上りスケジューリンググラントは、サブフレーム＃i＋９においてサブフレーム＃ｉ＋３で送信した上りリンクの共有チャネルを再送することを指示する。そして、ユーザ装置１００ｎは、上記上りリンクスケジューリンググラントに含まれるトランスポートフォーマットの情報に基づき、ＰＵＳＣＨを再送する（１２０８）。
【００８７】
尚、図１０においては、HARQのラウンドトリップ時間(RTT:  Round Trip Timer )を６ｍｓとして説明を行ったが、HARQのRTTが６ｍｓ以外の場合、例えば、８ｍｓや１０ｍｓ、５ｍｓの場合にも、同様の処理が適用されてもよいことは明らかである。
【００８８】
図１１は本発明の一実施例による基地局装置２００における動作例を示す。ステップＳ１１０２では、基地局装置２００は、後続の所定のサブフレームにおいて上りの共有チャネルを用いてどのユーザ装置が通信を行うかを決定する。すなわち、基地局装置２００は、後続の所定のサブフレームにおいて上りの共有チャネルを用いてユーザデータの送信を行うユーザ装置を選別するスケジューリング処理を行う。尚、基地局装置２００は、上記後続の所定のサブフレームが、Ｓｙｎｃｈｒｏｎｏｕｓ  ＨＡＲＱが適用されるＰＵＳＣＨの再送のタイミングである場合に、常に、その該当するユーザ装置を上りの共有チャネルを用いて通信を行うユーザ装置として、選別してもよい。
【００８９】
ステップＳ１１０２又はそれ以前において、基地局装置２００は、ステップＳ１１０２において選別したユーザ装置が送信するＰＵＳＣＨ（トランスポートチャネルとしてはＵＬ−ＳＣＨ）が再送データか否かを判定している。ステップＳ１１０４では、その判定結果が再送データであるか否かを確認する。再送データでない場合、フローはステップＳ１１０６に進み、データサイズを示すビットの値を設定する。また、ステップＳ１１０６において、上りスケジューリンググラントに含まれる内容のうち、データサイズ以外の情報ビット、例えば、変調方式を示すビットやリソースブロックの割り当て情報を示すビット、送信電力に関する情報を示すビットを決定してもよい。
【００９０】
一方、再送データである場合、フローはステップＳ１１０８に進み、データサイズのフィールドに、特定の値（例えば、１１１１１１）を設定する。この値は実際のデータサイズの値とは異なり、上記後続の所定のサブフレームで許可される上り送信が再送であることを示す。上り送信が再送されるべき場合には、上記データサイズのフィールドに上記特定の値が必ず記載される。ステップＳ１１０６及びステップＳ１１０８の後、基地局装置２００は上りスケジューリンググラントを含む物理下りリンク制御チャネルＰＤＣＣＨをユーザ装置に送信する。上述したようにこのスケジューリンググラントと共に送達確認情報（ＡＣＫ／ＮＡＣＫ）がユーザ装置に送信されてもよい。図示の例では、許可される上り送信が再送であることを示すために、データサイズ用のビットが使用されたが、図５で説明されたように、それを示すために別途用意されたビットが使用されてもよい。その場合、ステップＳ１１０６，Ｓ１１０８では、許可される上り送信が再送であるか否かに応じてビットの値が設定される。
【００９１】
図１２は、本発明の一実施例によるユーザ装置１００ｎにおける動作例を示す。ステップＳ１２０２では、ユーザ装置は、上りスケジューリンググラントを含む物理下りリンク制御チャネルＰＤＣＣＨを基地局装置２００から受信する。上りスケジューリンググラントは、上りリンクの共有チャネルを用いて後続の所定のサブフレームで信号を送信することを許可する。
【００９２】
ステップＳ１２０４では、上りスケジューリンググラントのデータサイズの値が確認される。その値が特定の値（例えば、１１１１１１）でなかった場合には、フローはステップＳ１２０６に進む。ステップＳ１２０６では、過去に送信していない新規の信号を、許可されたリソースで送信するように送信信号が用意される。一方、ステップＳ１２０４でデータサイズの値として特定の値（例えば、１１１１１１）が設定されていた場合には、フローはステップＳ１２０８に進む。
【００９３】
ステップＳ１２０８では、過去に送信した信号を、許可されたリソースで再送するように送信信号が用意される。
【００９４】
ステップＳ１２０６又はＳ１２０８で用意された送信信号は、所定のサブフレームの時点で基地局装置２００に送信又は再送される。
【００９５】
尚、ステップＳ１２０８において、移動局１００ｎは、上り送信が許可された後続の所定のサブフレームが、Ｓｙｎｃｈｒｏｎｏｕｓ  ＨＡＲＱが適用されるＰＵＳＣＨの再送のタイミングでない場合には、上記上りスケジューリンググラントを無視し、上記サブフレームにおいても上りリンクの共有チャネルＰＵＳＣＨを送信しないという処理を行ってもよい。すなわち、移動局１００ｎは、上り送信が許可された後続の所定のサブフレームが、Ｓｙｎｃｈｒｏｎｏｕｓ  ＨＡＲＱが適用されるＰＵＳＣＨの再送のタイミングであり、かつ、データサイズの値として特定の値（例えば、１１１１１１）が設定されていた場合に、上記サブフレームにおいて過去に送信した信号を基地局装置２００に再送するという処理を行ってもよい。
【００９６】
図示の例では、許可される上り送信が再送であることを確認するために、データサイズ用のビットが使用されたが、図５で説明されたように、それを示すために別途用意されたビットが使用されているかもしれない。この場合、ステップＳ１２０４は、そのビットの値が何であるかを確認することで、許可される上り送信が再送であるか否かが確認される。
【００９７】
上述したように、ユーザ装置は上りスケジューリンググラント及び送達確認情報の双方を受信するかもしれない。この場合、再送の要否が送達確認情報の内容（ＡＣＫ／ＮＡＣＫ）で表現されるのはもちろんのこと、上述したように上りスケジューリンググラントに含まれる内容によっても表現される（データサイズの値又は専用に用意されたビットの値で示される。）。これら双方は同一内容を表現すべきであるが、無線伝搬状況によっては互いに矛盾する内容を表現するかもしれない。この場合、一例として、上りスケジューリンググラントによる再送の要否が優先的に使用されてよい。或いは、上りスケジューリンググラントと送達確認情報の双方が伝送された場合、送達確認情報の内容に関係なく、上りスケジューリンググラントの内容に従って再送制御が行われてもよい。すなわち、送達確認情報の内容に関係なく、上記上りスケジューリンググラントが再送を指示した場合には再送が行われ、上記上りスケジューリンググラントが新規の送信を指示した場合には新規の送信が行われてもよい。誤り検出符号であるＣＲＣが付与されている上りスケジューリンググラントは、ＣＲＣが付与されていない送達確認情報に比べて、その信頼性が高いからである。但し、送達確認情報による再送の要否に従うことが禁止される趣旨ではない。
【００９８】
上述した実施例においては、送達確認情報と上りスケジューリンググラントの両方が送信される場合を示したが、本発明に係る基地局装置、ユーザ装置、方法は、送達確認情報が送信されず、上りスケジューリンググラントのみが送信される場合にも適用される。この場合、基地局装置２００は、上りリンクの共有チャネルを正常に受信した場合には、何も送信せず、上りリンクの共有チャネルを正常に受信しなかった場合にのみ、所定のタイミングにおいて、再送のための上りスケジューリンググラントを移動局１００ｎに対して送信する。一方、ユーザ装置１００ｎは、再送のための上りスケジューリンググラントを受信するタイミングにおいて、再送のための上りスケジューリンググラントを受信しなかった場合には、該当する、以前に送信した上りリンクの共有チャネルが基地局装置２００において正常に受信されたと判断し、再送のための上りスケジューリンググラントを受信するタイミングにおいて、再送のための上りスケジューリンググラントを受信した場合には、該当する、以前に送信した上りリンクの共有チャネルを再送する。
【００９９】
上述した実施例においては、Ｅｖｏｌｖｅｄ  ＵＴＲＡ  ａｎｄ  ＵＴＲＡＮ（別名：Ｌｏｎｇ  Ｔｅｒｍ  Ｅｖｏｌｕｔｉｏｎ，或いは，Ｓｕｐｅｒ  ３Ｇ）が適用されるシステムにおける例が説明されたが、本発明に係るユーザ装置、基地局装置、移動通信システム及び通信制御方法は、共有チャネルを用いた通信を行う他のシステムにも適用可能である。
【０１００】
以上本発明は特定の実施例を参照しながら説明されてきたが、実施例は単なる例示に過ぎず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。説明の便宜上、本発明の実施例に係る装置は機能的なブロック図を用いて説明されたが、そのような装置はハードウエアで、ソフトウエアで又はそれらの組み合わせで実現されてもよい。本発明は上記実施例に限定されず、本発明の精神から逸脱することなく、様々な変形例、修正例、代替例、置換例等が本発明に包含される。
【０１０１】
本国際出願は２００７年３月１９日に出願した日本国特許出願第２００７−０７１５８８号に基づく優先権を主張するものであり、その全内容を本国際出願に援用する。
【０１０２】
以下、本発明により教示される手段を例示的に列挙する。
【０１０３】
（第１項）
移動通信システムにおいてユーザ装置と通信を行う基地局装置であって：
前記ユーザ装置から受信した上り信号が再送されるべきか否かの判定を行う判定手段と、
前記ユーザ装置に上り信号の送信を許可する制御情報を用意する手段と、
前記制御情報を前記ユーザ装置に通知する手段と、
を有し、上り信号が再送されるように判定がなされた場合に、前記制御情報は、前記ユーザ装置が過去に送信した上り信号を再送すべきことを示す再送情報を含む
ことを特徴とする基地局装置。
【０１０４】
（第２項）
第１項に記載の基地局装置であって、
前記ユーザ装置から受信した上り信号が再送されるべきか否かを示す送達確認情報と、前記制御情報とを含む制御信号が前記ユーザ装置に送信される、
ことを特徴とする基地局装置。
【０１０５】
（第３項）
第１項に記載の基地局装置であって、
前記再送情報は、ある数値範囲に含まれる特定の値で表現され、該数値範囲中の他の値は、上り信号のデータサイズを表現する基地局装置。
【０１０６】
（第４項）
第１項に記載の基地局装置であって、
前記再送情報は、上り信号のデータサイズを表現するビットとは別に用意されたビットで表現される基地局装置。
【０１０７】
（第５項）
第１項乃至第４項のいずれか１項に記載の基地局装置であって、
前記上り信号は、上りリンクの共有チャネルであり、前記制御情報は、アップリンクスケジューリンググラントを示す基地局装置。
【０１０８】
（第６項）
移動通信システムで基地局装置と通信するユーザ装置であって：
上り信号を将来送信することを許可する制御情報を受信する手段と、
前記制御情報で指定されるリソースを用いて上り信号を送信する手段と、
を有し、再送が行われる場合には、前記制御情報に、当該ユーザ装置が過去に送信した上り信号を再送すべきことを示す再送情報が含まれる
ことを特徴とするユーザ装置。
【０１０９】
（第７項）
第６項に記載のユーザ装置であって、
過去に送信した上り信号が再送されるべきか否かを示す送達確認情報と、上り信号を将来送信することを許可する制御情報とを含む制御信号が受信され、
再送が行われる場合には、前記送達確認情報とは別に、前記制御情報に、当該ユーザ装置が過去に送信した上り信号を再送すべきことを示す再送情報が含まれる
ことを特徴とするユーザ装置。
【０１１０】
（第８項）
第６項に記載のユーザ装置であって、
前記再送情報は、ある数値範囲に含まれる特定の値で表現され、該数値範囲中の他の値は、上り信号のデータサイズを表現するユーザ装置。
【０１１１】
（第９項）
第６項に記載のユーザ装置であって、
前記再送情報は、上り信号のデータサイズを表現するビットとは別に用意されたビットで表現されるユーザ装置。
【０１１２】
（第１０項）
第６項に記載のユーザ装置であって、
前記送達確認情報と前記再送情報とが矛盾する場合、前記再送情報の内容が優先されるユーザ装置。
【０１１３】
（第１１項）
第６項乃至第１０項のいずれか１項に記載のユーザ装置であって、
前記上り信号は、上りリンクの共有チャネルであり、前記制御情報は、アップリンクスケジューリンググラントを示す基地局装置。
【０１１４】
（第１２項）
ユーザ装置及び基地局装置を有する移動通信システムで使用される方法であって：
前記ユーザ装置から受信した上り信号が再送されるべきか否かの判定が基地局装置で行われるステップと、
前記ユーザ装置に上り信号の送信を許可する制御情報を含む制御信号が、前記基地局装置から前記ユーザ装置に送信されるステップと、
前記制御情報で指定されるリソースを用いて上り信号が前記ユーザ装置から前記基地局装置に送信されるステップと、
を有し、前記上り信号が再送されるように判定がなされた場合に、前記制御情報は、前記ユーザ装置が過去に送信した上り信号を再送すべきことを示す再送情報を含む
ことを特徴とする方法。
【０１１５】
（第１３項）
移動通信システムで基地局装置と通信するユーザ装置であって：
上り信号を将来送信することを許可する制御情報を受信する手段と、
前記制御情報で指定されるリソースを用いて上り信号を送信する手段と、
過去に送信した上り信号が再送されるべきか否かを示す送達確認情報を受信する手段と、
を有し、前記制御情報と前記送達確認情報の両方を受信した場合に、前記送達確認情報の内容に関わらず、前記制御情報に基づいて、前記上り信号を送信することを特徴とするユーザ装置。
【０１１６】
（第１４項）
前記制御情報と過去に送信した上り信号が再送を要しないことを示す前記送達確認情報とを受信した場合、前記送達確認情報の内容に関わらず、前記制御情報に基づいて、再送の又は再送でない上り信号を送信する第１３項に記載のユーザ装置。
【０１１７】
（第１５項）
前記制御情報と過去に送信した上り信号が再送を要することを示す前記送達確認情報とを受信した場合、前記送達確認情報の内容に関わらず、前記制御情報に基づいて、再送の又は再送でない上り信号を送信する第１３項に記載のユーザ装置。
【符号の説明】
【０１１８】
５０  セル
１００  ユーザ装置
２００  基地局装置
３００  アクセスゲートウェイ
４００  コアネットワーク
１０００  無線通信システム
２００  基地局装置
２０２  送受信アンテナ
２０４  アンプ部
２０６  送受信部
２０８  ベースバンド信号処理部
２１０  呼処理部
２１２  伝送路インターフェース
２０８１  レイヤー１処理部
２０８２  ＭＡＣ処理部
２０８３  ＲＬＣ処理部
１００  ユーザ装置
１０２  送受信アンテナ
１０４  アンプ部
１０６  送受信部
１０８  ベースバンド信号処理部
１１０  アプリケーション部
１０８１  レイヤー１処理部
１０８２  ＭＡＣ処理部
１０８３  ＲＬＣ処理部
【図１】
2010148149.tif 000003
【図２】
2010148149.tif 000004
【図３】
2010148149.tif 000005
【図４】
2010148149.tif 000006
【図５】
2010148149.tif 000007
【図６】
2010148149.tif 000008
【図７】
2010148149.tif 000009
【図８】
2010148149.tif 000010
【図９】
2010148149.tif 000011
【図１０】
2010148149.tif 000012
【図１１】
2010148149.tif 000013
【図１２】
2010148149.tif 000014